(57)【要約】【課題】フィルタ部材を介して接続管を被管取付け部材に取付ける接続部構造において、シール材の個数を削減することができる技術を提供することを課題とする。【解決手段】負圧ポンプのボディ部４０に設けた吸入ポート２４に接続管６０を取外し可能に取付ける接続部構造１１０であって、吸入ポート２４に挿入されるフィルタ部材３３と、接続管６０に設けられ吸入ポート２４に挿入される挿入部１２１と、この挿入部１２１から延びてフィルタ部材３３に進入するフィルタ進入部１２２と、挿入部１２１と吸入ポート２４とフィルタ部材３３とに接し、挿入部１２１と吸入ポート２４との間をシールし且つフィルタ部材３３と吸入ポート２４との間をシールするシール材６８とからなる。【効果】シール材の個数が削減できるので、負圧ポンプのコスト低減を図ることができる。【選択図】図５
2012087702.tif 000002
【特許請求の範囲】
【請求項１】
接続管が、被管取付け部材に、取外し可能に取付けられる接続部構造において、
前記被管取付け部材に設けられているポートに、挿入されるフィルタ部材と、
前記接続管に設けられ前記ポートに挿入される挿入部と、
この挿入部から延びて前記フィルタ部材に進入するフィルタ進入部と、
前記挿入部と前記ポートと前記フィルタ部材とに接し、前記挿入部と前記ポートとの間をシールし且つ前記フィルタ部材と前記ポートとの間をシールする単一のシール材とからなることを特徴とする接続部構造。
【請求項２】
請求項１記載の接続部構造において、
前記フィルタ部材は、前記接続管側の端部に鍔部を備えており、
前記接続管は、前記挿入部と前記フィルタ進入部との接続部位に、前記鍔部を抑える抑え面を備えていることを特徴とする接続部構造。
【請求項３】
請求項１又は請求項２記載の接続部構造において、
前記被管取付け部材は、負圧ポンプであり、
前記ポートは、前記負圧ポンプの吸入ポートであることを特徴とする接続部構造。
【発明の詳細な説明】
【技術分野】
【０００１】
本発明は、接続管が、被管取付け部材に、取外し可能に取付けられる接続部構造の改良に関する。
【背景技術】
【０００２】
接続管を被管取付け部材に取付ける接続部構造において、接続管と被管取付け部材の間にフィルタ部材を介在させる技術が各種提案されている（例えば、特許文献１（図６）参照。）。
【０００３】
特許文献１を次図に基づいて説明する。
図１５は従来の接続部構造の基本構成を説明する図であり、気体圧縮機のハウジング２０１に吸入ポート２０２を設け、この吸入ポート２０２にフィルタ部材２０３を挿入し、さらに吸入ポート２０２にスリーブ２０４を挿入してスリーブ２０４でフィルタ部材２０３を押さえてなる接続部構造２００が開示されている。そして、想像線で示す接続管２０５を吸入ポート２０２に取付ける。
【０００４】
特許文献１を見た当業者であれば、接続管およびシール材を図１５のように取り付けることは一般的である。ハウジング２０１とスリーブ２０４との間はシール材２０６でシールされ、ハウジング２０１と接続管２０５との間はシール材２０７でシールされる。吸気は、白抜きの矢印のように、接続管２０５から吸入ポート２０２に流れ、フィルタ部材２０３を介して、圧縮機構部へ送られる。
【０００５】
シール材２０６のシール作用により、吸気がハウジング２０１とスリーブ２０４との間の隙間２０８を通過する心配はない。また、シール材２０７のシール作用により、外気がスリーブ２０４内に侵入する心配はない。
【０００６】
ところで、接続部構造を構成する部品のコスト低減が求められており、特にシール材の個数削減が期待される。
【先行技術文献】
【特許文献】
【０００７】
【特許文献１】特開２００７−１６２５８７公報
【発明の概要】
【発明が解決しようとする課題】
【０００８】
本発明は、フィルタ部材を介して接続管を被管取付け部材に取付ける接続部構造において、シール材の個数を削減することができる技術を提供することを課題とする。
【課題を解決するための手段】
【０００９】
請求項１に係る発明は、接続管が、被管取付け部材に、取外し可能に取付けられる接続部構造において、
前記被管取付け部材に設けられているポートに、挿入されるフィルタ部材と、
前記接続管に設けられ前記ポートに挿入される挿入部と、
この挿入部から延びて前記フィルタ部材に進入するフィルタ進入部と、
前記挿入部と前記ポートと前記フィルタ部材とに接し、前記挿入部と前記ポートとの間をシールし且つ前記フィルタ部材と前記ポートとの間をシールする単一のシール材とからなることを特徴とする。
【００１０】
請求項２に係る発明では、フィルタ部材は、接続管側の端部に鍔部を備えており、
接続管は、挿入部とフィルタ進入部との接続部位に、鍔部を抑える抑え面を備えていることを特徴とする。
【００１１】
請求項３に係る発明では、被管取付け部材は、負圧ポンプであり、
ポートは、負圧ポンプの吸入ポートであることを特徴とする。
【発明の効果】
【００１２】
請求項１に係る発明では、シール材は、被管取付け部材のポートと、このポートに挿入されるフィルタ部材と、ポートに挿入される接続管の挿入部とに接するように配置される。
単一のシール材によって、挿入部とポートとの間をシールし且つフィルタ部材とポートとの間をシールするようにしたので、シール材の個数を１個に削減することができる。
【００１３】
請求項２に係る発明では、フィルタ部材の接続管側の端部に、鍔部を設け、接続管の挿入部とフィルタ進入部との接続部位に、鍔部を抑える抑え面を設けた。
抑え面で鍔部を抑えることにより、フィルタ部材の軸方向の移動を規制し、フィルタ部材の位置決めを行うことができる。また抑え面の作用でフィルタ部材の振動を抑制することができる。すなわち、接続管が、フィルタ部材の移動を規制するためのストッパの役割を兼ねる。結果、ストッパが不要になる分、ポートの省スペース化を図ることができる。
【００１４】
請求項３に係る発明では、被管取付け部材は、負圧ポンプであり、ポートは、負圧ポンプの吸入ポートである。すなわち、本発明は、負圧ポンプの吸入ポートに好適であり、シール材の個数が削減できるので、負圧ポンプのコスト低減を図ることができる。
【図面の簡単な説明】
【００１５】
【図１】本発明に係る接続部構造を備える負圧ポンプの配置例を示す図である。
【図２】負圧ポンプの分解斜視図である。
【図３】ポンプ部の分解斜視図である。
【図４】負圧ポンプの要部断面図である。
【図５】図４の５部拡大図である。
【図６】図４の６−６線断面図である。
【図７】図４の７−７線断面図である。
【図８】負圧ポンプの底面図である。
【図９】排気穴及び栓部材を説明する図である。
【図１０】図８の１０−１０線断面図である。
【図１１】図８の１１−１１線断面図である。
【図１２】接続管からポンプ部までの吸気の流れを説明する図である。
【図１３】ポンプ部から排気口までの排気の流れを説明する図である。
【図１４】複数のチャンバーの作用を説明する図である。
【図１５】従来の接続部構造の断面図である。
【発明を実施するための形態】
【００１６】
本発明の実施の形態を添付図に基づいて以下に説明する。なお、図面は符号の向きに見るものとする。
【実施例】
【００１７】
本発明の実施例を図面に基づいて説明する。なお、接続部構造は、負圧ポンプに設けられる吸入ポートに、取り外し可能に接続管を取付ける接続部構造を、例に以下に説明する。
【００１８】
図１に示されるように、負圧ポンプ１０は、車両に備えられる負圧ブースタ１１の負圧室１２内を、負圧にする真空ポンプの一種である。
負圧ポンプ１０を作動させると、負圧管１３、負圧室１２内及び変圧室１４内が負圧になっている。この状態でブレーキペダル１６を踏むと負圧室１２と変圧室１４とが遮断され、変圧室１４に空気が導入され、負圧室１２と変圧室１４との差圧により、ダイヤフラム１７がリターンばね１８を圧縮させる側へ変形し、プッシュロッド１９を押し出す。結果、小さな踏力で大きな制動力が得られる。負圧ポンプ１０は、車両の側のブラケット２１にボルト２２で固定される。
【００１９】
負圧ポンプ１０の構造を以下に詳しく述べる。
図２に示されるように、負圧ポンプ１０は、吸入ポート２４を上部に有するボディ部４０と、このボディ部４０の一方の側面に複数（この例では２本）のビス２６で取付けられ、モータ軸２７がインボリュートスプライン軸であるモータ２８と、ボディ部４０の他方の側面に設けられている複数（この例では４個）の雌ねじ穴３１に長いボルト３２をねじ込むことで取付けられるポンプ部８０と、吸入ポート２４にフィルタ部材３３を介して接続される接続管６０と、ポンプ部８０を覆うと共に、ボディ部４０の他方の面に設けられている複数（この例では４個）の雌ねじ穴３４にビス３６をねじ込むことで取付けられるカバー体７０とからなる。
【００２０】
モータ２８の側部に、モータ２８へ給電する中間コネクタ３７が設けられる。
【００２１】
ボディ部４０は、モータ２８をマウントするため及び車両に接続するための基盤であるため、厚くて剛性に富む、例えば鋳物などの金属製とすることが望まれる。ボディ部４０の底面に、車両側のブラケット（図１、符号２１）に取付けられる一対の固定部４１が下方に突出して設けられる。ボディ部４０の中心部にモータ軸２７が挿入される軸穴４２が設けられる。
【００２２】
ボディ部４０のうちポンプ部８０が取付けられる側面を、ポンプ取付け側面４３と呼ぶことにする。このポンプ取付け側面４３に、ポンプ取付け側面４３の外周に沿ってＯリングなどのシール材４４が設けられる。
【００２３】
また、ポンプ取付け側面４３に、軸穴４２の上方から下方にかけて、軸穴４２を中心とする半円形の吸気溝４６が設けられており、この吸気溝４６を囲うようにＯリングなどのシール材４７がポンプ取付け側面４３に設けられる。
【００２４】
さらに、ポンプ取付け側面４３に複数（実施例では４室）のチャンバー５１〜５４が設けられる。複数のチャンバー５１〜５４は、ボディ部４０の上下方向中央に配置され、ボディ部４０の外周に沿って形成される第１チャンバー５１と、この第１チャンバー５１と軸穴４２との間に配置され、第１チャンバー５１に第１連通溝５５を介して連通する第２チャンバー５２と、軸穴４２の下方に配置され、第２チャンバー５２に第２連通溝５６を介して連通する第３チャンバー５３と、この第３チャンバー５３の直下にてボディ部４０の外周に沿って形成され、チャンバー５１〜５３とは独立した第４チャンバー５４とからなる。
【００２５】
接続管６０は、ボディ部４０の上面に設けられている複数（この例では２個）の雌ねじ穴６１にビス６２をねじ込むことで締結される締結部６３と、この締結部６３から上方に突出する基部６５と、この基部６５からモータ軸２７の軸方向６７に延びるホース差込部６６とを主要素とし、単一で且つＯリングなどのシール材６８を介して吸入ポート２４に接続される。
【００２６】
カバー体７０は、有底円筒であり、ポンプ取付け側面４３に対向する底部７１と、この底部７１からポンプ取付け側面４３に向けて延びる筒部７２と、この筒部７２の端部に鍔状に形成されるフランジ部７３とからなる。
【００２７】
図３はポンプ部８０の分解斜視図であり、ポンプ部８０は、非円断面のロータ室８１及び複数（この例では４個）のボルト穴８２が設けられるケース８３と、複数のベーン溝８５が放射状に設けられ、中心にインボリュートスプライン穴８６が設けられ、非円断面のロータ室８１に回転自在に収納されるロータ８７と、複数のベーン溝８５に各々移動自在に収納されるベーン８８と、複数（この例では４個）のボルト穴９１及び上下２個の吸気孔９２、９３を有する吸気プレート９４と、複数（この例では４個）のボルト穴９６及び上下２個の排気孔９７、９８を有する排気プレート１０１と、ボルト穴９６、８２、９１に通される複数（この例では４本）のボルト３２とからなる。
【００２８】
負圧ポンプの各部の構成を図４〜図１１に基づいて、さらに詳細に説明する。
図４は、図３及び図２に基づいて組立てられた負圧ポンプ１０の要部断面図である。
図４に示されるように、軸穴４２に転がり軸受１０２が設けられており、この軸受１０２にモータ軸２７が支持される。モータ軸２７の先端部は、ロータ８７のインボリュートスプライン穴８６に嵌り、先端が排気プレート１０１の近傍まで達する。
【００２９】
カバー体７０のフランジ部７３はシール材４４の全周に接しており、このシール材４４によってカバー体７０内の気密性が確保される。
一方、シール材４７の全周に吸気プレート９４の表面が接しており、このシール材４７と吸気プレート９４で吸気溝４６の開口が塞がれ、吸気通路１０３が形成される。結果、接続管６０、吸入ポート２４、吸気通路１０３及び２個の吸気孔（図３、符号９２、９３）からなる吸気経路が形成される。
【００３０】
一対の固定部４１、４１の間に排気口１３０（詳細後述）が設けられる。
第３チャンバー５３と排気口１３０とは、第１排出通路１０４によって連通される。第１排出通路１０４は、第３チャンバー５３の内壁からモータ２８側へ延びる横通路１０６と、この横通路１０６の端部から下方に延びて排気口１３０に開口する縦通路１０７とからなる。第４チャンバー５４と排気口１３０とは、鉛直方向に延びる第２排出通路１０８によって連通される。
【００３１】
次に、図５に基づいて吸入ポート２４に接続管６０を取付ける接続部構造１１０を説明する。
図５に示されるように、吸入ポート２４は、ボディ部４０の上面に開口する開口部１１１と、この開口部１１１より小さい内径で形成され、開口部１１１から段差面１１２を介して下方に延びる吸入通路部１１３とからなる。
【００３２】
フィルタ部材３３は、例えば籠型フィルタであり、接続管６０側の端部に形成され段差面１１２に支持される鍔部１１４と、この鍔部１１４から下方に延び、円周方向に並ぶ複数の柱部１１６と、これら複数の柱部１１６の下端に渡した底部１１７と、この底部１１７と柱部１１６に囲われる空間に挿入され、網部１１８を有するフィルタ部１１９とからなる。鍔部１１４と柱部１１６と底部１１７は、一体成形された樹脂品とすることができる。樹脂成形の際に、金型内にフィルタ部１１９を置き、このフィルタ部１１９の周囲に溶融樹脂を流し込む、インサート成形法でフィルタ部材３３を製造することもできる。
【００３３】
接続管６０の締結部６３に、下方に延びて吸入ポート２４に挿入される挿入部１２１が設けられ、この挿入部１２１に、下方に延びてフィルタ部材３３に進入するフィルタ進入部１２２が設けられる。
【００３４】
フィルタ進入部１２２は挿入部１２１よりも小さな外径で形成されており、挿入部１２１とフィルタ進入部１２２との接続部位（段差面）に抑え面１２３が設けられる。この抑え面１２３は鍔部１１４を上から抑える役割を果たす。
【００３５】
シール材６８は、締結部６３、挿入部１２１、開口部１１１及び鍔部１１４で囲われた空間に配置され、これら締結部６３、挿入部１２１、開口部１１１及び鍔部１１４に接する。
すなわち、シール材６８は、接続管６０と吸入ポート２４とフィルタ部材３３とに接しており、接続管６０と吸入ポート２４との間をシールし且つフィルタ部材３３と吸入ポート２４との間をシールする。
【００３６】
次に、複数のチャンバーの構成を図６及び図７に基づいて詳しく説明する。
図６に示されるように、チャンバー５１〜５４、連通溝５５、５６は、各々、ポンプ部（図２、符号８０）側に開口する。
【００３７】
第１チャンバー５１は、モータ軸２７を中心とする円弧状に形成され且つ幅Ｗ１で帯状に形成される。第４チャンバー５４は、左右に延びる直線とモータ軸２７を中心とした円弧とで囲われるような外形を有する。図において、第４チャンバー５４の中央で最大となる幅（上下方向）をＷ２で示し、左右方向の全長をＬ１で示す。
【００３８】
図７は、図６の構造にポンプ部８０及びカバー体７０を取付けた形態を示す図である。
図７に示されるように、第２・第３チャンバー（図６、符号５２、５３）、第１・第２連通溝（図６、符号５５、５６）の各々の開口は、吸気プレート９４で全体が塞がれる。
【００３９】
一方、ボディ部４０の外周に沿って形成される第１チャンバー５１及び第４チャンバー５４は、開口の一部が、カバー体７０及び吸気プレート９４で塞がれる。
【００４０】
カバー体７０の筒部７２のうち、第１チャンバー５１に対峙する部位が、モータ軸２７に向かって突出するように窪んでおり、この窪んだ部位１２４で、第１チャンバー５１の開口うち筒部７２側を塞ぐ。また、第１チャンバー５１の開口のうちモータ軸２７側を吸気プレート９４で塞ぐ。
【００４１】
この結果、第１チャンバー５１は、幅Ｗ１より格段に小さい幅Ｗ３の隙間によって、カバー体７０内と連通する。この幅Ｗ３の狭い隙間が排気通路１２６となる。排気孔９７、９８からの排気は、カバー体７０内から排気通路１２６で絞られて第１チャンバー５１に流れる。
【００４２】
また、カバー体７０の筒部７２のうち、第４チャンバー５４に対峙する部位が、モータ軸２７に向かって突出するように窪んでおり、この窪んだ部位１２５で、第４チャンバー５４の開口下部を塞ぐ。また、第４チャンバー５４の開口上部を吸気プレート９４で塞ぐ。
【００４３】
この結果、第４チャンバー５４は、幅Ｗ２より格段に小さい幅Ｗ４の隙間と、長さＬ１より格段に小さい長さＬ２の左右の隙間によって、カバー体７０内と連通する。幅Ｗ４の狭い隙間が排気通路１２７となり、長さＬ２の左右の狭い隙間が排気通路１２８、１２８となる。排気孔９７、９８からの排気は、カバー体７０内から排気通路１２７及び排気通路１２８、１２８で絞られて第４チャンバー５４に流れる。
【００４４】
次に、排気口の構成について、図８〜図１１に基づいて説明する。
図８は負圧ポンプ１０の底面図であり、ボディ部４０の固定部４１、４１にボルト（図１、符号２２）がねじ込まれる雌ねじ穴２３、２３が設けられる。排気口１３０は、固定部４１、４１の間（雌ねじ穴２３、２３の間）に設けられ、負圧ポンプ１０における最も低い箇所に位置する。排気口１３０は、排気穴１３１に外から栓部材１３２を嵌め、排気穴１３１の内周面と栓部材１３２の外周面との間に複数の排気通路１３３を形成してなる。
【００４５】
図９に示されるように、排気穴１３１は、断面が円形であり、直径に比べて深さが小さい穴である。排気穴１３１の天井面１３４に長円形の凹部１３６が形成される。また、この凹部１３６から排気穴１３１の内周面にかけて、複数（この例では４本）の横溝１３７が放射状に延びる。さらに、凹部１３６には第１排出通路１０４及び第２排出通路１０８が開口する。なお、第１排出通路１０４の内径は第２排出通路１０８の内径よりも大きく設定される。
【００４６】
排気穴１３１の内周面に、複数の横溝１３７と連通するように、排気穴１３１の軸方向１３８に沿って複数の縦溝１３９が形成される。実施例では、横溝１３７の断面は矩形であり、縦溝１３９の断面は半円形であるが、横溝１３７及び縦溝１３９の各々の形状や本数は、負圧ポンプに要求される排気性能に応じて任意に決定することができる。
【００４７】
栓部材１３２は、円板部１４１と、この円板部１４１の外周に形成される周壁部１４２とからなり、例えば鋼板をプレス加工することで成形できる。栓部材１３２の外径は排気穴１３１の内径より僅かに大きく設定され、栓部材１３２は、排気穴１３１に圧入されることで、ボディ部４０に組付けられる。
【００４８】
図１０に示されるように、栓部材１３２は、天井面１３４に接するまで排気穴１３１に挿入され、排気穴１３１を塞ぐ。結果、円板部１４１が凹部（図９、符号１３６）及び複数の横溝（図９、符号１３７）を塞ぎ、複雑な形状の空間部１４３が形成される。
【００４９】
また、図１１に示されるように、周壁部１４２が複数の縦溝１３９の開口を塞ぐことで、栓部材１３２の外周に、周方向に並ぶ複数の排気通路１３３が形成される。これら複数の排気通路１３３は、空間部１４３と外部とを連通する。
【００５０】
なお、カバー体（図７、符号７０）内に水が万一存在しても、最も低い位置にある排気通路（図７、１２７、１２８）と第４チャンバー（図７、符号５４）により、水を排気口１３０に導き、容易に抜くことができる。
【００５１】
以上に述べた負圧ポンプの作用を次に述べる。
図１２に示されるように、モータ（図２、符号２８）が作動すると、ポンプ部８０の吸引作用により、外気が接続管６０内に吸入される。この吸気は、接続部構造１１０及びフィルタ部材３３を通過して吸入ポート２４に吸入される（矢印（１））。
【００５２】
吸入ポート２４に入った吸気は、吸気孔９２からポンプ部８０に入り、加圧されて排気孔９７から排出される（矢印（２））、又は、吸気通路１０３を通って吸気孔９３からポンプ部８０に入り、加圧されて排気孔９８から排出される（矢印（３））。上下の排気孔９７、９８から排出された排気は、カバー体７０内に流入する。
【００５３】
図１３に示されるように、カバー体７０内において、排気は２つの排気経路のうち、いずれかの経路で排気口１３０へ導かれる。一方の経路では、排気はポンプ部８０の側部とカバー体７０との間の隙間を流れた後、排気通路（図７、符号１２６）を介して第１チャンバー５１に流入する（矢印（４）、（５））。第１チャンバー５１に流入した排気は第１連通溝５５を介して第２チャンバー５２に移る（矢印（６））。第２チャンバー５２に流入した排気は第２連通溝５６を介して第３チャンバー５３に移る（矢印（７））。第３チャンバー５３に流入した排気は、第１排出通路１０４を通って栓部材１３２に達すると、栓部材１３２を回避するように、空間部１４３を抜け、排気通路１３３から大気中に放出される（矢印（８））。
【００５４】
他方の排気経路では、排気はポンプ部８０の下面とカバー体７０との間の隙間を流れ（矢印（９））、排気通路１２７又は排気通路１２８を介して第４チャンバー５４に流入する（矢印（１０））。第４チャンバー５４に流入した排気は、第２排出通路１０８を通って栓部材１３２に達すると、栓部材１３２を回避するように空間部１４３を抜け、排気通路１３３から大気中に放出される（矢印（１１））。
【００５５】
以上のように作用する負圧ポンプによれば、次に述べる効果が得られる。
図５に示されるように、接続部構造１１０では、単一のシール材６８によって、挿入部１２１と吸入ポート２４との間をシールし且つフィルタ部材３３と吸入ポート２４との間をシールする。
【００５６】
結果、矢印（１２）のように接続管６０とボディ部４０との間の隙間１４４に外気が流入しても、シール材６８によって、外気が吸入ポート２４内に入る心配はない。さらに、矢印（１３）のようにフィルタ部材３３と接続管６０との隙間１４６に吸気が流入しても、シール材６８によって、吸気がフィルタ部材３３と吸入ポート２４の間の隙間１４７に回り込む心配もない。したがって、シール材が１個で済み、シール材の個数を削減することができる。
【００５７】
また、抑え面１２３で鍔部１１４を抑えることにより、フィルタ部材３３の軸方向の移動を規制し、フィルタ部材３３の位置決めを行うことができると共に、負圧発生時のフィルタ部材３３の振動を抑制することができる。すなわち、接続管６０がフィルタ部材３３の移動を規制するストッパの役割を兼ねる。結果、ストッパが不要になる分、吸入ポート２４の省スペース化を図ることができる。
【００５８】
更に、膨張室に相当するチャンバー（図６、符号５１〜５４）が複数室あるため、膨張室の総容積を増大させることができる。結果、排気音の一層の低減が可能となる。
【００５９】
加えて、図１４に示されるように、排気を第１チャンバー５１で膨張させ、この膨張した排気を第１連通溝５５で絞った後、第２チャンバー５２で膨張させる。この膨張した排気を第２連通溝５６で再び絞り、第３チャンバー５３で膨張させる。このように排気を段階的に膨張させることができるので、排気音を一層低減することができる。
【００６０】
また、第１チャンバー５１及び第４チャンバー（図７、符号５４）は、ボディ部４０にカバー体（図７、符号７０）を重ねることで形成される。ボディ部４０には凹部を形成するだけでよいため、チャンバーは容易に形成される。
【００６１】
チャンバーの開口の一部を塞ぐ手段として、プレートなどの専用部品を新規に調達することが考えられるが、専用部品を調達すると、部品点数が増えて製品コストが高くなる。
この点、本実施例では、カバー体の窪んだ部位（図７、符号１２４、１２５）で、第１チャンバー５１及び第４チャンバー（図７、符号５４）の各々の開口の一部を塞ぐようにしたので、専用部品は不要である。結果、製品コストを抑えることができる。
【００６２】
また、吸気プレート（図７、符号９４）で、複数のチャンバー及び複数の連通溝を覆うようにしたので、専用部品が不要になる。すなわち、チャンバーや連通溝を覆う部品として吸気プレートを兼用することで、部品点数の増加を抑えることができる。
【００６３】
また、排気がポンプ部（図７、符号８０）とカバー体（図７、符号７０）との間の隙間を流れ、排気通路（図７、符号１２６〜１２８）へ向かうので、排気孔から排気通路に排気を導くための専用の通路をポンプ部などに加工する必要がない。結果、部品の加工コストを抑えることができる。
【００６４】
また、図１１に示されるように、排気口１３０における排気経路は、第１排出通路１０４、第２排出通路１０８、複雑な形状の空間部１４３及び複数の排気通路１３３からなる迷路である。この複雑な迷路によって、矢印（１４）のように排気通路１３３の出口から水が万一侵入しても、水が栓部材１３２よりも上流側（ポンプ側）に逆流することを防止することができる。したがって、モータ停止時（負圧ポンプ停止時）であっても、排気口１３０からポンプ部（図４、符号８０）への水の侵入を防止できる。結果、負圧ポンプの機能及び耐久性を維持することができる。
【００６５】
また、排気穴１３１や栓部材１３２に加工を施すことは容易であるため、簡単に所望の排気通路１３３を形成することができる。すなわち、低コストで所望の構造の排気口１３０を容易に製造することができる。
【００６６】
また、排気穴１３１を鋳造で形成する際に、同時に縦溝１３９を成形することができる。結果、縦溝１３９の加工コストを抑えることができる。一方、縦溝の無い栓部材１３２の外周面は平坦でよいので、栓部材１３２の加工コストも抑えることができる。
【００６７】
尚、本発明の接続部構造は、負圧ポンプに設けられる吸入ポートに接続管を取付ける接続部構造に好適であるが、フィルタ部材を介して被管取付け部材に接続管を取外し可能に取付ける接続部構造であれば用途は任意である。
【産業上の利用可能性】
【００６８】
本発明の接続部構造は、負圧ポンプに設けられる吸入ポートに接続管を取付ける接続部構造に好適である。
【符号の説明】
【００６９】
１０…負圧ポンプ、２４…吸入ポート（ポート）、３３…フィルタ部材、６０…接続管、６８…シール材、１１０…接続部構造、１１４…鍔部、１２１…挿入部、１２２…フィルタ進入部、１２３…抑え面。
【図１】
2012087702.tif 000003
【図２】
2012087702.tif 000004
【図３】
2012087702.tif 000005
【図４】
2012087702.tif 000006
【図５】
2012087702.tif 000007
【図６】
2012087702.tif 000008
【図７】
2012087702.tif 000009
【図８】
2012087702.tif 000010
【図９】
2012087702.tif 000011
【図１０】
2012087702.tif 000012
【図１１】
2012087702.tif 000013
【図１２】
2012087702.tif 000014
【図１３】
2012087702.tif 000015
【図１４】
2012087702.tif 000016
【図１５】
2012087702.tif 000017